(57)【要約】      （修正有）【課題】防犯上、有用な現場の風景を自動的に撮影する一方、撮影による携帯型防犯端末の処理負担を軽減し、バッテリー切れを防ぐ。【解決手段】被監視者が携行する携帯型防犯端末１は、一定の撮影間隔で現場の撮影を実行すると、画像処理部１２により高精細画像と低精細画像を生成する。高精細画像と低精細画像は互いに関連付けられて画像記憶部１Ａに記憶される。また、防犯管理装置２に対し、撮影間隔よりも長い一定の送信間隔で、当該送信間隔ごとに生成された低精細画像を送信する。防犯管理装置２から、所定の低精細画像と関連付けられた高精細画像、及び当該所定の低精細画像の撮影時刻前の所定時間分の高精細画像の取得要求を受信すると、画像記憶部１Ａを参照して、当該所定の低精細画像に関連付けられた高精細画像と、当該所定の低精細画像の撮影時刻前の所定時間分の全高精細画像を抽出し、防犯管理装置２に当該抽出した高精細画像を送信する。【選択図】図２
2017188861.tif 000002
【特許請求の範囲】
【請求項１】
被監視者が携行すると共に、一定の撮影間隔で現場の撮影を行い、当該撮影によって生成された画像を供給する携帯型防犯端末であって、
上記被監視者の情報を監視者に提供する防犯管理装置と、ネットワークを介して通信可能に構成され、
一定の撮影間隔で現場の撮影を実行する撮影処理手段と、
上記撮影に応じて、高精細画像と低精細画像を生成する画像処理手段と、
上記高精細画像、上記低精細画像、及び撮影が実行された時刻に係る時刻情報を互いに関連付けて記憶する画像記憶手段と、
上記防犯管理装置に対し、上記撮影間隔よりも長い一定の送信間隔で、当該送信間隔ごとに生成された低精細画像を送信する低精細画像送信手段と、
上記防犯管理装置から、所定の低精細画像と関連付けられた高精細画像、及び当該所定の低精細画像の撮影時刻前の所定時間分の高精細画像の取得要求を受信する画像取得要求受信手段と、
上記画像記憶手段を参照して、上記所定の低精細画像に関連付けられた高精細画像と、当該所定の低精細画像の撮影時刻前の所定時間分の全高精細画像を抽出する抽出処理手段と、
上記防犯管理装置に対し、上記抽出した高精細画像を送信する高精細画像送信手段と、を有する、
ことを特徴とする携帯型防犯端末。
【請求項２】
所定の実行条件をトリガーとして、上記撮影処理手段に対し、撮影の実行を命令する第一の命令処理手段、をさらに有する、
請求項１記載の携帯型防犯端末。
【請求項３】
所定の停止条件をトリガーとして、上記撮影処理手段に対し、撮影の中止を命令する第二の命令処理手段、をさらに有する、
請求項１又は２記載の携帯型防犯端末。
【請求項４】
被監視者が携行する携帯型防犯端末ら画像を取得すると共に、監視者に対して当該画像を閲覧可能に提供する防犯管理装置であって、
上記被監視者が携行すると共に、一定の撮影間隔で現場の撮影を行い、当該撮影によって生成された画像を供給する携帯型防犯端末、及び監視者が利用する監視者端末と、ネットワークを介して通信可能に構成され、
上記携帯型防犯端末から、上記撮影間隔よりも長い一定の送信間隔で、当該送信間隔ごとに生成された低精細画像を受信する低精細画像受信手段と、
上記低精細画像を記憶する画像記憶手段と、
上記監視者端末から、上記画像記憶手段に記憶されている所定の低精細画像と関連付けられた高精細画像、及び当該所定の低精細画像の撮影時刻前の所定時間分の高精細画像の閲覧要求を受信する閲覧要求受信手段と、
上記携帯型防犯端末に対し、上記所定の低精細画像に関連付けられた高精細画像と、当該所定の低精細画像の撮影時刻前の所定時間分の全高精細画像の取得要求を送信する画像取得要求送信手段と、
上記携帯型防犯端末から、上記所定の低精細画像に関連付けられた高精細画像と、当該所定の低精細画像の撮影時刻前の所定時間分の全高精細画像を受信する高精細画像受信手段と、
上記監視者端末に対し、上記所定の低精細画像に関連付けられた高精細画像と、当該所定の低精細画像の撮影時刻前の所定時間分の全高精細画像を閲覧可能に送信する高精細画像送信手段と、を有する、
ことを特徴とする防犯管理装置。
【請求項５】
被監視者が携行すると共に、一定の撮影間隔で現場の撮影を行い、当該撮影によって生成された画像を供給する方法であって、
上記被監視者の情報を監視者に提供する防犯管理装置と、ネットワークを介して通信可能に構成された端末により、
一定の撮影間隔で現場の撮影を実行する処理と、
上記撮影に応じて、高精細画像と低精細画像を生成する処理と、
上記高精細画像、上記低精細画像、及び撮影が実行された時刻に係る時刻情報を互いに関連付けて画像記憶手段に記憶する処理と、
上記防犯管理装置に対し、上記撮影間隔よりも長い一定の送信間隔で、当該送信間隔ごとに生成された低精細画像を送信する処理と、
上記防犯管理装置から、所定の低精細画像と関連付けられた高精細画像、及び当該所定の低精細画像の撮影時刻前の所定時間分の高精細画像の取得要求を受信する処理と、
上記画像記憶手段を参照して、上記所定の低精細画像に関連付けられた高精細画像と、当該所定の低精細画像の撮影時刻前の所定時間分の全高精細画像を抽出する処理と、
上記防犯管理装置に対し、上記抽出した高精細画像を送信する処理と、を実行する、
ことを特徴とする防犯方法。
【請求項６】
被監視者が携行すると共に、一定の撮影間隔で現場の撮影を行い、当該撮影によって生成された画像を供給するためのコンピュータプログラムであって、
上記被監視者の情報を監視者に提供する防犯管理装置と、ネットワークを介して通信可能に構成された端末に対し、
一定の撮影間隔で現場の撮影を実行する処理と、
上記撮影に応じて、高精細画像と低精細画像を生成する処理と、
上記高精細画像、上記低精細画像、及び撮影が実行された時刻に係る時刻情報を互いに関連付けて画像記憶手段に記憶する処理と、
上記防犯管理装置に対し、上記撮影間隔よりも長い一定の送信間隔で、当該送信間隔ごとに生成された低精細画像を送信する処理と、
上記防犯管理装置から、所定の低精細画像と関連付けられた高精細画像、及び当該所定の低精細画像の撮影時刻前の所定時間分の高精細画像の取得要求を受信する処理と、
上記画像記憶手段を参照して、上記所定の低精細画像に関連付けられた高精細画像と、当該所定の低精細画像の撮影時刻前の所定時間分の全高精細画像を抽出する処理と、
上記防犯管理装置に対し、上記抽出した高精細画像を送信する処理と、を実行させる、
コンピュータプログラム。
【請求項７】
被監視者が携行する携帯型防犯端末ら画像を取得すると共に、監視者に対して当該画像を閲覧可能に提供する方法であって、
上記被監視者が携行すると共に、一定の撮影間隔で現場の撮影を行い、当該撮影によって生成された画像を供給する携帯型防犯端末、及び監視者が利用する監視者端末と、ネットワークを介して通信可能に構成されたコンピュータにより、
上記携帯型防犯端末から、上記撮影間隔よりも長い一定の送信間隔で、当該送信間隔ごとに生成された低精細画像を受信する処理と、
上記低精細画像を画像記憶手段に記憶する処理と、
上記監視者端末から、上記画像記憶手段に記憶されている所定の低精細画像と関連付けられた高精細画像、及び当該所定の低精細画像の撮影時刻前の所定時間分の高精細画像の閲覧要求を受信する処理と、
上記携帯型防犯端末に対し、上記所定の低精細画像に関連付けられた高精細画像と、当該所定の低精細画像の撮影時刻前の所定時間分の全高精細画像の取得要求を送信する処理と、
上記携帯型防犯端末から、上記所定の低精細画像に関連付けられた高精細画像と、当該所定の低精細画像の撮影時刻前の所定時間分の全高精細画像を受信する処理と、
上記監視者端末に対し、上記所定の低精細画像に関連付けられた高精細画像と、当該所定の低精細画像の撮影時刻前の所定時間分の全高精細画像を閲覧可能に送信する処理と、を実行する、
ことを特徴とする防犯方法。
【請求項８】
被監視者が携行する携帯型防犯端末ら画像を取得すると共に、監視者に対して当該画像を閲覧可能に提供するためのコンピュータプログラムであって、
上記被監視者が携行すると共に、一定の撮影間隔で現場の撮影を行い、当該撮影によって生成された画像を供給する携帯型防犯端末、及び監視者が利用する監視者端末と、ネットワークを介して通信可能に構成されたコンピュータに対し、
上記携帯型防犯端末から、上記撮影間隔よりも長い一定の送信間隔で、当該送信間隔ごとに生成された低精細画像を受信する処理と、
上記低精細画像を画像記憶手段に記憶する処理と、
上記監視者端末から、上記画像記憶手段に記憶されている所定の低精細画像と関連付けられた高精細画像、及び当該所定の低精細画像の撮影時刻前の所定時間分の高精細画像の閲覧要求を受信する処理と、
上記携帯型防犯端末に対し、上記所定の低精細画像に関連付けられた高精細画像と、当該所定の低精細画像の撮影時刻前の所定時間分の全高精細画像の取得要求を送信する処理と、
上記携帯型防犯端末から、上記所定の低精細画像に関連付けられた高精細画像と、当該所定の低精細画像の撮影時刻前の所定時間分の全高精細画像を受信する処理と、
上記監視者端末に対し、上記所定の低精細画像に関連付けられた高精細画像と、当該所定の低精細画像の撮影時刻前の所定時間分の全高精細画像を閲覧可能に送信する処理と、を実行させる、
コンピュータプログラム。
【発明の詳細な説明】
【技術分野】
【０００１】
本発明は、子どもや高齢者などに携行させる防犯用の端末によって現場の撮影を行い、撮影によって得られた画像を被監視者に提供する技術に関する。
【背景技術】
【０００２】
従来、子供や高齢者向けの見守りサービスでは、対象者の現在位置を把握するものが主であった。しかし、現在位置の把握だけでは、頻発する子供への犯罪行為防止や、高齢者の危険回避等には不十分であった。
【０００３】
この点、特許文献１では、表示部とカメラを同一平面上に搭載した携帯電話装置であり、前記電源キーが操作されると前記カメラを用いて自動的に撮影動作を行い、当該撮影した画情報を予め設定した相手先に自動的に送信することを特徴とする携帯電話装置が提案されている。
また、特許文献２では、携帯型の撮像装置と、該撮像装置と相互通信可能な監視装置からなる監視システムであって、上記撮像装置は、画像撮像を行って画像データを取り込む撮像手段と、外部音声を入力して音声データを取り込む音声入力手段と、上記監視装置との間で通信を行う通信手段と、異常事態発生の判別のための検出を行う状況検出手段と、人の話し声として出力される声音データを発生する声音データ発生手段と、音声出力手段と、上記状況検出手段の検出結果に基づいて異常事態発生と判断した場合に、上記声音データ発生手段で発生される声音データによる音声を上記音声出力手段から出力させる声音出力動作と、上記撮像手段によって取り込まれた画像データ、及び上記音声入力手段によって取り込まれた音声データを上記通信手段により上記監視装置に送信させる送信動作と、上記監視装置から送信されて上記通信手段で受信される音声データを上記音声出力手段から出力させる受信音声出力動作とを実行させる制御手段と、を備え、上記監視装置は、上記撮像装置との間で通信を行う通信手段と、上記撮像装置から送信されて上記通信手段で受信した画像データ及び音声データを出力する出力手段と、上記通信手段により上記撮像装置に対して音声データとして送信させる音声を入力する入力手段とを備えることを特徴とする監視システムが提案されている。
【０００４】
【特許文献１】特開２００８−１５３７３０号公報
【特許文献２】特開２００７−２２１３２７号公報
【発明の開示】
【発明が解決しようとする課題】
【０００５】
特許文献１、２記載の技術においては、現場の撮影を行っているが、継続的に撮影を行うと共に、これによって得られた画像の送受信を繰り返す場合、端末の処理負担が大きいし、それによって端末がバッテリー切れを起こしかねない。
また、緊急の状態が発生してから現場の映像等を取得するのでは、どうしてそのような状態に至ったかを把握できないし、緊急の状態が発生してからでは、現場の情報を取得すること自体が物理的に困難な状態になっていることが多い。
【０００６】
そこで、本発明は、緊急事態の発生如何にかかわらず、被監視者が歩行あるいは移動しているときに、防犯上、有用となり得る現場の風景を自動的に撮影しておき、緊急事態発生の可能性が高まった際、あるいは緊急事態が発生した際には、撮影によって得られた画像により、危険を回避したり、事件を解決したりできるようにする。
また、現場の撮影において、撮影間隔よりも長い一定の送信間隔で低精細画像を供給しつつ、必要に応じて高精細画像を供給することにより、携帯型防犯端末の処理負担を大きく軽減することを目的とする。
【課題を解決するための手段】
【０００７】
上記目的を達成するため、本発明の一の観点に係る携帯型防犯端末は、被監視者が携行すると共に、一定の撮影間隔で現場の撮影を行い、当該撮影によって生成された画像を供給する携帯型防犯端末であって、上記被監視者の情報を監視者に提供する防犯管理装置と、ネットワークを介して通信可能に構成され、一定の撮影間隔で現場の撮影を実行する撮影処理手段と、上記撮影に応じて、高精細画像と低精細画像を生成する画像処理手段と、上記高精細画像、上記低精細画像、及び撮影が実行された時刻に係る時刻情報を互いに関連付けて記憶する画像記憶手段と、上記防犯管理装置に対し、上記撮影間隔よりも長い一定の送信間隔で、当該送信間隔ごとに生成された低精細画像を送信する低精細画像送信手段と、上記防犯管理装置から、所定の低精細画像と関連付けられた高精細画像、及び当該所定の低精細画像の撮影時刻前の所定時間分の高精細画像の取得要求を受信する画像取得要求受信手段と、上記画像記憶手段を参照して、上記所定の低精細画像に関連付けられた高精細画像と、当該所定の低精細画像の撮影時刻前の所定時間分の全高精細画像を抽出する抽出処理手段と、上記防犯管理装置に対し、上記抽出した高精細画像を送信する高精細画像送信手段と、を有することを特徴とする。
【０００８】
また、所定の実行条件をトリガーとして、上記撮影処理手段に対し、撮影の実行を命令する第一の命令処理手段、をさらに有するものとしてもよい。
【０００９】
また、所定の停止条件をトリガーとして、上記撮影処理手段に対し、撮影の中止を命令する第二の命令処理手段、をさらに有するものとしてもよい。
【００１０】
また、本発明の別の観点に係る防犯管理装置は、被監視者が携行する携帯型防犯端末ら画像を取得すると共に、監視者に対して当該画像を閲覧可能に提供する防犯管理装置であって、上記被監視者が携行すると共に、一定の撮影間隔で現場の撮影を行い、当該撮影によって生成された画像を供給する携帯型防犯端末、及び監視者が利用する監視者端末と、ネットワークを介して通信可能に構成され、上記携帯型防犯端末から、上記撮影間隔よりも長い一定の送信間隔で、当該送信間隔ごとに生成された低精細画像を受信する低精細画像受信手段と、上記低精細画像を記憶する画像記憶手段と、上記監視者端末から、上記画像記憶手段に記憶されている所定の低精細画像と関連付けられた高精細画像、及び当該所定の低精細画像の撮影時刻前の所定時間分の高精細画像の閲覧要求を受信する閲覧要求受信手段と、上記携帯型防犯端末に対し、上記所定の低精細画像に関連付けられた高精細画像と、当該所定の低精細画像の撮影時刻前の所定時間分の全高精細画像の取得要求を送信する画像取得要求送信手段と、上記携帯型防犯端末から、上記所定の低精細画像に関連付けられた高精細画像と、当該所定の低精細画像の撮影時刻前の所定時間分の全高精細画像を受信する高精細画像受信手段と、上記監視者端末に対し、上記所定の低精細画像に関連付けられた高精細画像と、当該所定の低精細画像の撮影時刻前の所定時間分の全高精細画像を閲覧可能に送信する高精細画像送信手段と、を有することを特徴とする。
【００１１】
また、本発明の別の観点に係る防犯方法は、被監視者が携行すると共に、一定の撮影間隔で現場の撮影を行い、当該撮影によって生成された画像を供給する方法であって、上記被監視者の情報を監視者に提供する防犯管理装置と、ネットワークを介して通信可能に構成された端末により、一定の撮影間隔で現場の撮影を実行する処理と、上記撮影に応じて、高精細画像と低精細画像を生成する処理と、上記高精細画像、上記低精細画像、及び撮影が実行された時刻に係る時刻情報を互いに関連付けて画像記憶手段に記憶する処理と、上記防犯管理装置に対し、上記撮影間隔よりも長い一定の送信間隔で、当該送信間隔ごとに生成された低精細画像を送信する処理と、上記防犯管理装置から、所定の低精細画像と関連付けられた高精細画像、及び当該所定の低精細画像の撮影時刻前の所定時間分の高精細画像の取得要求を受信する処理と、上記画像記憶手段を参照して、上記所定の低精細画像に関連付けられた高精細画像と、当該所定の低精細画像の撮影時刻前の所定時間分の全高精細画像を抽出する処理と、上記防犯管理装置に対し、上記抽出した高精細画像を送信する処理と、を実行することを特徴とする。
【００１２】
また、本発明の別の観点に係るコンピュータプログラムは、被監視者が携行すると共に、一定の撮影間隔で現場の撮影を行い、当該撮影によって生成された画像を供給するためのコンピュータプログラムであって、上記被監視者の情報を監視者に提供する防犯管理装置と、ネットワークを介して通信可能に構成された端末に対し、一定の撮影間隔で現場の撮影を実行する処理と、上記撮影に応じて、高精細画像と低精細画像を生成する処理と、上記高精細画像、上記低精細画像、及び撮影が実行された時刻に係る時刻情報を互いに関連付けて画像記憶手段に記憶する処理と、上記防犯管理装置に対し、上記撮影間隔よりも長い一定の送信間隔で、当該送信間隔ごとに生成された低精細画像を送信する処理と、上記防犯管理装置から、所定の低精細画像と関連付けられた高精細画像、及び当該所定の低精細画像の撮影時刻前の所定時間分の高精細画像の取得要求を受信する処理と、上記画像記憶手段を参照して、上記所定の低精細画像に関連付けられた高精細画像と、当該所定の低精細画像の撮影時刻前の所定時間分の全高精細画像を抽出する処理と、上記防犯管理装置に対し、上記抽出した高精細画像を送信する処理と、を実行させる。
【００１３】
また、本発明の別の観点に係る防犯方法は、被監視者が携行する携帯型防犯端末ら画像を取得すると共に、監視者に対して当該画像を閲覧可能に提供する方法であって、上記被監視者が携行すると共に、一定の撮影間隔で現場の撮影を行い、当該撮影によって生成された画像を供給する携帯型防犯端末、及び監視者が利用する監視者端末と、ネットワークを介して通信可能に構成されたコンピュータにより、上記携帯型防犯端末から、上記撮影間隔よりも長い一定の送信間隔で、当該送信間隔ごとに生成された低精細画像を受信する処理と、上記低精細画像を画像記憶手段に記憶する処理と、上記監視者端末から、上記画像記憶手段に記憶されている所定の低精細画像と関連付けられた高精細画像、及び当該所定の低精細画像の撮影時刻前の所定時間分の高精細画像の閲覧要求を受信する処理と、上記携帯型防犯端末に対し、上記所定の低精細画像に関連付けられた高精細画像と、当該所定の低精細画像の撮影時刻前の所定時間分の全高精細画像の取得要求を送信する処理と、上記携帯型防犯端末から、上記所定の低精細画像に関連付けられた高精細画像と、当該所定の低精細画像の撮影時刻前の所定時間分の全高精細画像を受信する処理と、上記監視者端末に対し、上記所定の低精細画像に関連付けられた高精細画像と、当該所定の低精細画像の撮影時刻前の所定時間分の全高精細画像を閲覧可能に送信する処理と、を実行することを特徴とする。
【００１４】
また、本発明の別の観点に係るコンピュータプログラムは、被監視者が携行する携帯型防犯端末ら画像を取得すると共に、監視者に対して当該画像を閲覧可能に提供するためのコンピュータプログラムであって、上記被監視者が携行すると共に、一定の撮影間隔で現場の撮影を行い、当該撮影によって生成された画像を供給する携帯型防犯端末、及び監視者が利用する監視者端末と、ネットワークを介して通信可能に構成されたコンピュータに対し、上記携帯型防犯端末から、上記撮影間隔よりも長い一定の送信間隔で、当該送信間隔ごとに生成された低精細画像を受信する処理と、上記低精細画像を画像記憶手段に記憶する処理と、上記監視者端末から、上記画像記憶手段に記憶されている所定の低精細画像と関連付けられた高精細画像、及び当該所定の低精細画像の撮影時刻前の所定時間分の高精細画像の閲覧要求を受信する処理と、上記携帯型防犯端末に対し、上記所定の低精細画像に関連付けられた高精細画像と、当該所定の低精細画像の撮影時刻前の所定時間分の全高精細画像の取得要求を送信する処理と、上記携帯型防犯端末から、上記所定の低精細画像に関連付けられた高精細画像と、当該所定の低精細画像の撮影時刻前の所定時間分の全高精細画像を受信する処理と、上記監視者端末に対し、上記所定の低精細画像に関連付けられた高精細画像と、当該所定の低精細画像の撮影時刻前の所定時間分の全高精細画像を閲覧可能に送信する処理と、を実行させる。
【発明の効果】
【００１５】
本発明によれば、緊急事態の発生如何にかかわらず、被監視者が歩行あるいは移動しているときに、防犯上、有用となり得る現場の風景が自動的に撮影される。その結果、現場を撮影して得られた画像により、危険を回避したり、事件を解決したりすることができる。
また、現場の撮影において、撮影間隔よりも長い一定の送信間隔で低精細画像を供給しつつ、必要に応じて高精細画像を供給するため、携帯型防犯端末の処理負担を大きく軽減することができる。
【図面の簡単な説明】
【００１６】
【図１】本発明の実施形態に係る防犯型携帯端末及び防犯管理装置によって実行される処理の概要を示した概要図である。
【図２】本実施形態に係る防犯型携帯端末及び防犯管理装置が備える機能を示した機能ブロック図である。
【図３】本実施形態に係る防犯型携帯端末及び防犯管理装置において、防犯型携帯端末の画像記憶部に記憶されるデータの一例を示した図である。
【図４】本実施形態に係る防犯型携帯端末及び防犯管理装置において、防犯型携帯端末の音声記憶部に記憶されるデータの一例を示した図である。
【図５】本実施形態に係る防犯型携帯端末及び防犯管理装置において、防犯管理装置のユーザ情報記憶部に記憶されるデータの一例を示した図である。
【図６】本実施形態に係る防犯型携帯端末及び防犯管理装置において、防犯管理装置の画像記憶部に記憶されるデータの一例を示した図である。
【図７】本実施形態に係る防犯型携帯端末及び防犯管理装置において、防犯管理装置の画像記憶部に記憶されるデータの一例を示した図である。
【図８】本実施形態に係る防犯型携帯端末及び防犯管理装置において、防犯管理装置の音声記憶部に記憶されるデータの一例を示した図である。
【図９】本実施形態に係る防犯型携帯端末及び防犯管理装置において、携帯型防犯端末において実行される処理の流れを示した処理フロー図である。
【図１０】本実施形態に係る防犯型携帯端末及び防犯管理装置によって実行される処理の流れを示したシーケンス図である。
【図１１】本実施形態に係る防犯型携帯端末及び防犯管理装置によって実行される処理の流れを示したシーケンス図である。
【図１２】本実施形態に係る防犯型携帯端末及び防犯管理装置によって実行される処理の流れを示したシーケンス図である。
【図１３】本実施形態に係る防犯型携帯端末及び防犯管理装置において、監視者端末上に表示される画面の一例を示した図である。
【図１４】本実施形態に係る防犯型携帯端末及び防犯管理装置において、監視者端末上に表示される画面の一例を示した図である。
【図１５】本発明の別の実施形態に係る防犯型携帯端末及び防犯管理装置が備える機能を示した機能ブロック図である。
【図１６】本実施形態に係る防犯型携帯端末及び防犯管理装置において、監視者端末上に表示される画面の一例を示した図である。
【図１７】本実施形態に係る防犯型携帯端末及び防犯管理装置によって実行される処理の流れを示したシーケンス図である。
【図１８】本実施形態に係る防犯型携帯端末及び防犯管理装置において、監視者端末上に表示される画面の一例を示した図である。
【図１９】本発明のさらに別の実施形態に係る防犯型携帯端末及び防犯管理装置が備える機能を示した機能ブロック図である。
【図２０】本実施形態に係る防犯型携帯端末及び防犯管理装置によって実行される処理の流れを示したシーケンス図である。
【発明を実施するための形態】
【００１７】
以下、本発明の実施形態に係る携帯型防犯端末及び防犯管理装置について、図を参照して説明する。
まず、本実施形態に係る携帯型防犯端末及び防犯管理装置を用いて提供される防犯サービス（以下、「本サービス」と称する）の概要について、図１を参照して説明する。
本サービスは、特に子どもや老人など、防犯対策が必要とされる者を略取や誘拐、暴行といった様々な犯罪等から守ったり、そのような犯罪の早期解決を図ったりすることのできるサービスである。本サービスでは、このような犯罪から守るべき者を被監視者としてその状況を監視すると共に、被監視者の保護者等の監視者に対して被監視者の情報を提供する。
【００１８】
具体的な内容を本サービスの流れから説明すると、被監視者は携帯型防犯端末１を所持しており、この携帯型防犯端末１は、被監視者の歩行や移動といった所定の実行条件に応じて自動的に現場の撮影を開始する（Ｓ１）。携帯型防犯端末１は、撮影によって低精細画像と高精細画像の二種類の画像を生成して端末内に記憶すると共に、一定の間隔で低精細画像を防犯管理装置２に送信する（Ｓ２）。
【００１９】
監視者は、所定のウェブサイト等において被監視者が所持する携帯型防犯端末１によって生成された低精細画像を閲覧することができ（Ｓ３）、これにより被監視者の状況を把握することができる。
さらに監視者は、気になった場面について高精細画像の閲覧を要求することができる（Ｓ４）。これに応じて、防犯管理装置２は携帯型防犯端末１に対し、監視者が要求した場面の高精細画像の取得要求を送信する（Ｓ５）。携帯型防犯端末１から防犯管理装置２に対して高精細画像が送信されると（Ｓ６）、当該高精細画像が監視者に対して閲覧可能に提供される（Ｓ７）。
【００２０】
このように、被管理者に危険が及び得る状況にあるときや、被監視者が危険な状態にあると合理的に判断されるときなど、被監視者の状況を確認したいときに当該被監視者の状況を画像によって把握することができる。さらに、通常は低精細画像が閲覧可能に提供される一方、必要に応じて高精細画像が閲覧可能に提供されることから回線負荷が抑えられる。
【００２１】
続いて、本サービスを実現する装置及び端末の具体的な構成を詳述する。
図２に示されるように、本実施形態においては、携帯型防犯端末１、防犯管理装置２、及び監視者端末３がインターネット等のネットワークＮＷを介して通信可能に構成されている。
【００２２】
携帯型防犯端末１は、子どもや老人などの被監視者が携行する端末であり、被監視者の防犯ないしは有事において有力な情報となる現場の風景を撮影して画像を生成する端末である。
この携帯型防犯端末１は例えば、CPU（Central Processing Unit）などの演算装置、CPUによって実行されるコンピュータプログラム、RAM（Random Access Memory）やROM（Read Only Memory）等の内部メモリ等を備え、撮影処理部１１、画像処理部１２、計時部１３、位置情報取得部１４、録音処理部１５、検出処理部１６、命令処理部１７、通信処理部１８、画像記憶部１Ａ、及び音声記憶部１Ｂからなる機能ブロックを構成する。
なお、携帯型防犯端末１は、専用端末であることが好適ではあるが、スマートフォンと称されるカメラ付携帯型電話端末によって構成することも可能である。カメラ付携帯型電話端末によって構成する場合には、各機能部をアプリケーションソフトウェアとして端末に組み込むことで、カメラ付携帯型電話機を携帯型防犯端末１として機能させることができる。
【００２３】
撮影処理部１１は、被写体の撮影を実行する処理部であって、被写体像を撮像素子の受光面に結像させるレンズといった光学系、光学系により結像した被写体像を撮像して画像信号を制御部に出力するCMOSイメージセンサといった撮像素子、撮像素子から取得した画像信号から画像データを生成する制御部等によって構成される。
この撮影処理部１１は、命令処理部１７から撮影の実行命令を受け付けると、２秒毎など、一定の撮影間隔で現場の撮影を自動的に実行する。
【００２４】
なお、撮影処理部１１を構成するレンズには、広角レンズ、魚眼レンズ等、被監視者の周辺状況をより広範に捉えることのできるレンズを適宜、採用してもよい。また、暗いところでも問題なく被監視者の周辺状況を撮影きるように暗視カメラとしての機能をもたせてもよい。
【００２５】
画像処理部１２は、撮影処理部１１による撮影に応じて、高精細画像と低精細画像を生成する。
この処理では例えば、所定の解像度による撮影によって高精細画像を生成すると共に、当該高精細画像のデータサイズを縮小させて低精細画像を生成する。
また、画像処理部１２は、生成された画像データに対して画像データを識別するための画像ＩＤを発行すると共に、計時部１３によって取得された撮影時の時刻、位置情報取得部１４によって取得された撮影時の現在位置といった情報の関連付けを行う。
【００２６】
なお、高精細画像と低精細画像における精度あるいは解像度は相対的なものであって、予め設定された精度あるいは解像度により、データサイズの大きい高精細画像とデータサイズの小さい低精細画像の二種類の画像が生成される。
【００２７】
計時部１３は、現在時刻を計時する処理部である。
この計時部１３により、撮影時の現在時刻を取得することで、撮影時刻が把握される。
【００２８】
位置情報取得部１４は、携帯型防犯端末１の現在位置情報を取得する。
この位置情報取得部１４は例えば、Googleが提供するFused Location ProviderといったAPIやGPS（Global Positioning System）等によって構成され、前者であれば、室内や地下空間等であってもWi-Fiの電波があれば、現在位置情報を取得することができるし、バッテリーの消費を抑えることもできる。
【００２９】
録音処理部１５は、マイクロホン等の集音器等により構成され、命令処理部１７から録音の実行命令を受け付けると、録音の停止命令を受け付けるまで外部音声の録音を実行する。
また、録音処理部１５は、録音によって生成された音声データに対し、音声データを識別するための音声ＩＤを発行すると共に、計時部１３によって取得された録音開始時刻や録音終了時刻といった情報の関連付けを行う。
【００３０】
検出処理部１６は、携帯型防犯端末１の移動や携帯型防犯端末１に加えられた衝撃など、携帯型防犯端末１が撮影や録音を開始したり停止したりする条件となる挙動を検出する処理部である。
この検出処理部１６は例えば、加速度センサ、回転センサ（ベクトル解析）、あるいはジャイロセンサを単独、又はこれらを組み合わせた装置によって構成される。
【００３１】
命令処理部１７は、検出処理部１６によって検出された携帯型防犯端末１の挙動や位置情報取得部１４によって取得される位置情報から認識される携帯型防犯端末１の移動状況に応じて、撮影や録音の実行命令や停止命令を出す。即ち、撮影及び録音が実行されていない状況下において、所定の実行条件をトリガーとして、撮影処理部１１に対して撮影及び録音の実行を命令する。また、撮影及び録音が実行されている状況下において、所定の停止条件をトリガーとして、撮影処理部１１に対して撮影及び録音の中止を命令する。
【００３２】
ここで、実行条件は例えば、携帯型防犯端末１の移動や携帯型防犯端末１に加えられた一定以上の外力や衝撃である。一定以上の外力や衝撃は例えば、検出処理部１６によって検出された加速度等の検出値に基づいて判断され、当該検出値が一定の閾値を超えた時には、被監視者に具体的な危険が生じたと合理的に判断できる。また、移動は例えば、歩行による移動であれば歩行固有の加速度の検出や、位置情報取得部１４によって取得された位置情報の一定時間当りの移動量に基づいて判断される。
【００３３】
また、停止条件は例えば、実行条件を満たさなくなった後、一定時間が経過したこと等である。これにより、防犯上、監視が必要との判断によって撮影が開始された場合でも、安全性が高いと考えられる状況に落ち着いたときには危険がないものとみなして撮影を停止し、無駄にバッテリーが消費されるのを防ぐことができる。
【００３４】
通信処理部１８は、インターネット等のネットワークＮＷを介して、防犯管理装置２や監視者端末３との間でデータの送受信処理を実行する機能部である。
この通信処理部１８は、防犯管理装置２に対して、６秒毎など、撮影間隔よりも長い一定の送信間隔で低精細画像を送信する。また、防犯管理装置２からの取得要求に応じて、所定の低精細画像の撮影前の所定の時間分の高精細画像や低精細画像を送信する。
【００３５】
画像記憶部１Ａは、撮影処理部１１によって撮影されると共に、画像処理部１２によって生成された高精細画像及び低精細画像を記憶する記憶部である。
この画像記憶部１Ａには例えば、図３に示されるように、一の撮影に基づいて生成された高精細画像と低精細画像が互いに関連付けて記憶されている。そして、高精細画像と低精細画像に係る画像データに対しては、画像を識別する画像ＩＤ、計時部１３によって取得された撮影時刻、位置情報取得部１４によって取得された位置情報が関連付けられている。
【００３６】
なお、本実施形態では、２秒毎の撮影間隔による撮影に応じて、画像処理部１２により、高精細画像と低精細画像を生成するものとしたが、画像を防犯管理装置２に送信する６秒毎の送信間隔に該当する画像については低精細画像と高精細画像を生成する一方、それ以外の撮影間隔では高精細画像のみを生成し、これを画像記憶部１Ａに記憶するものとしてもよい。これにより、記憶させる低精細画像の量が減らされ、携帯型防犯端末１の記憶領域の空き容量を確保しやすくなる。
【００３７】
音声記憶部１Ｂは、録音処理部１５により、外部音声を録音することによって得られた音声データを記憶する記憶部である。
この音声記憶部１Ｂには例えば、図４に示されるように、音声データに対し、当該音声データを識別する音声ＩＤ、録音開始時刻、録音終了時刻に係る情報が関連付けて記憶されている。
【００３８】
防犯管理装置２は、携帯型防犯端末１から低精細画像や高精細画像を取得して、監視者端末３に対してこれらを閲覧可能に提供する。
この防犯管理装置２は、CPU（Central Processing Unit）などの演算装置、CPUによって実行されるコンピュータプログラム、RAM（Random Access Memory）やROM（Read Only Memory）、HDD（Hard Disk Drive）といった記憶装置を備え、抽出処理部２１、通信処理部２２、ユーザ情報記憶部２Ａ、画像記憶部２Ｂ、音声記憶部２Ｃからなる機能ブロックを構成する。
【００３９】
抽出処理部２１は、監視者端末３からの閲覧要求に応じて、所定の画像や音声を、それぞれ画像記憶部２Ｂ及び音声記憶部２Ｃから抽出する。
【００４０】
通信処理部２２は、インターネット等のネットワークＮＷを介して、携帯型防犯端末１や監視者端末３との間でデータの送受信処理を実行する機能部である。
この通信処理部２２により例えば、携帯型防犯端末１から低精細画像や高精細画像を受信したり、監視者端末３に対して低精細画像や高精細画像を送信したりすることができる。
【００４１】
ユーザ情報記憶部２Ａは、本実施形態に係る携帯型防犯端末１を用いて提供されるサービスを享受する監視者や被監視者に関する情報を記憶した記憶部である。
このユーザ情報記憶部２Ａには例えば、図５に示されるように、監視者の情報と、当該監視者が監視する被監視者に関する情報とが互いに関連付けて記憶されている。監視者には各監視者を識別するための監視者ＩＤが発行され、当該監視者ＩＤに対し、当該監視者の氏名や連絡先、監視者がサービスの提供を受けるために必要な認証情報等の詳細情報が関連付けられている。また、被監視者にも同様に、被監視者を識別するための被監視者ＩＤが発行され、当該被監視者ＩＤに対し、当該被監視者の氏名や当該被監視者が保持する携帯型防犯端末１に関する情報等の詳細情報が関連付けられている。
なお、監視者たる親と、その親の監視対象となる複数の子どもといったように、一の監視者に対して、複数の被監視者が関連付けられることもある。
【００４２】
画像記憶部２Ｂは、携帯型防犯端末１から受信した画像を記憶する記憶部である。
この画像記憶部２Ｂには例えば、図６に示されるように、携帯型防犯端末１を所持する被監視者の被監視者ＩＤに関連付けて、携帯型防犯端末１から受信した低精細画像が関連付けて記憶されている。各低精細画像の画像データには、画像を識別する画像ＩＤ、撮影時刻、位置情報が関連付けられている。
【００４３】
ここで、画像記憶部２Ｂには通常、一定の送信間隔で携帯型防犯端末１から受信した低精細画像が記憶されている。本実施形態では、携帯型防犯端末１における撮影間隔が２秒間隔に設定される一方、低精細画像の送信間隔が６秒に設定されている。その結果、撮影時刻「２０１６年３月２０日１８時２分６秒」（図中、「20160320_18:02_6」と表示）、撮影時刻「２０１６年３月２０日１８時２分１２秒」（図中、「20160320_18:02_12」と表示）といったように、携帯型防犯端末１において２秒毎の撮影によって生成された低精細画像のうち、６秒間隔に該当する低精細画像が記憶されている。
【００４４】
一方、防犯管理装置２は、監視者端末３から所定の低精細画像の指定に係る情報と共に、当該所定の低精細画像の高精細画像と、当該所定の低精細画像の撮影時刻前又は／及び撮影時刻後の所定時間分の全ての高精細画像の閲覧要求を受け付けると、該当する高精細画像を携帯型防犯端末１から取得し、当該取得した高精細画像を画像記憶部２Ｂに記憶した上で、監視者端末３に対して閲覧可能に提供する。
【００４５】
この点、所定時間分の全ての高精細画像を携帯型防犯端末１から取得した際の画像記憶部２Ｂのデータ構成の例を図７に示す。図７は、所定時間が１０秒である場合において、撮影時刻「２０１６年３月２０日１８時２分１８秒」（図中、「20160320_18:02_18」と表示）前１０秒間分の高精細画像の閲覧要求を監視者端末３から受け付け、該当する高精細画像を携帯型防犯端末１から取得して画像記憶部２Ｂに記憶した例を示している。
【００４６】
図７のとおり、監視者からの閲覧要求によって、監視者から指定された低精細画像の撮影時刻前１０秒間における全高精細画像として、撮影時刻が「２０１６年３月２０日１８時２分１０秒」（図中、「20160320_18:02_10」と表示）、「２０１６年３月２０日１８時２分１２秒」（図中、「20160320_18:02_12」と表示）、「２０１６年３月２０日１８時２分１４秒」（図中、「20160320_18:02_14」と表示）、「２０１６年３月２０日１８時２分１６秒」（図中、「20160320_18:02_16」と表示）、及び「２０１６年３月２０日１８時２分１８秒」（図中、「20160320_18:02_18」と表示）である５フレーム分の高精細画像が記憶されている。
【００４７】
なお、本実施形態においては、監視者からの閲覧要求に応じて、監視者から指定された低精細画像の撮影時刻前１０秒間における全高精細画像を取得し、これを画像記憶部２Ｂに記憶するものとしたが、これに限らず、当該低精細画像の撮影時刻前１０秒間における低精細画像も取得し、記憶するものとしてもよい。
また、所定の低精細画像の撮影時刻前の何秒分を取得するかは、適宜に設定できるものであって、１０秒に限定されるものではないし、１０分など、ユーザが任意の時間を設定できるようにすることもできる。また、所定の低精細画像の撮影時刻前のみならず、撮影前後１０秒分を取得するといった設定も可能である。
【００４８】
音声記憶部２Ｃは、携帯型防犯端末１から受信した音声データを記憶する記憶部である。
この音声記憶部２Ｃには図８に示されるように、携帯型防犯端末１を所持する被監視者の被監視者ＩＤに関連付けて、音声データを識別する音声ＩＤ、音声データ、録音開始時刻、録音終了時刻が記憶されている。
【００４９】
監視者端末３は、監視者が利用する端末であって、所謂パーソナルコンピュータやタブレット端末、データ通信が可能な携帯型電話機端末などによって構成される。
この監視者端末３は、ディスプレイ、スピーカ、キーボード、タッチパネル、ポインティングデバイス等によって実現される入出力処理部３１、データの送受信を行うためのブラウザ等の通信処理部３２といった機能部を備える。そして、これらの機能部の機能実行により、防犯管理装置２によって提供される低精細画像や高精細画像を閲覧したり、音声データを聞いたりすることができる。
【００５０】
次に、本実施形態に係る携帯型防犯端末１、防犯管理装置２、及び監視者端末３において実行される処理の流れについて説明する。
まず、携帯型防犯端末１において実行される低精細画像と高精細画像の生成、及び音声データの生成について、図９を参照して説明する。
携帯型防犯端末１の検出処理部１６は常時、携帯型防犯端末１の加速度や携帯型防犯端末１に加えられる衝撃等を検出している。これに応じて命令処理部１７は、検出値が所定の閾値を超え、被監視者が歩行等の移動を始めたり、携帯型防犯端末１に衝撃が加わったりするなど、所定の実行条件を満たすか否かを判断している（Ｓ１０１）。
【００５１】
その結果、検出値が所定の閾値を超え、実行条件を満たすに至ったと判断された場合には、命令処理部１７は、撮影処理部１１に対して撮影の実行命令を出すと共に、録音処理部１５に対して録音の実行命令を出す（Ｓ１０２）。
これに応じて撮影処理部１１が撮影処理を実行すると共に（Ｓ１０３）、録音処理部１５が録音処理を実行する（Ｓ１０４）。
なお、録音処理及び撮影処理の詳細については後述する。
【００５２】
録音処理及び撮影処理が実行されている間においても、検出処理部１６は、携帯型防犯端末１の加速度の変化あるいは維持、携帯型防犯端末１に加えられる衝撃等の検出を続行している。そして、これに応じて命令処理部１７は、実行条件を満たさなくなってから所定時間が過ぎ、これにより所定の停止条件を満たすに至ったか否かを判断している（Ｓ１０５）。
【００５３】
その結果、所定の停止条件を満たすに至ったと判断された場合には、命令処理部１７は、撮影処理部１１に対して撮影の停止命令を出すと共に、録音処理部１５に対して録音の停止命令を出す（Ｓ１０６）。
これにより、携帯型防犯端末１における撮影及び録音が終了する。
【００５４】
続いて、図１０を参照して、撮影処理部１１による撮影処理の詳細について説明する。
命令処理部１７から撮影処理の実行命令を受けた撮影処理部１１は、所定の撮影間隔に応じて撮影を行う（Ｓ２０１、Ｓ２０２）。本実施形態では、撮影間隔は２秒毎となっており、撮影処理部１１は２秒毎に撮影を行う。
【００５５】
撮影が行われると、画像処理部１２は、高精細画像と低精細画像を生成する（Ｓ２０３）。この処理は例えば、所定の解像度による撮影によって得られた高精細画像に基づき、サイズを落とした低精細画像を生成することによって実行される。
【００５６】
さらに、計時部１３によって撮影時刻が計時されると共に（Ｓ２０４）、位置情報取得部１４によって撮影時の現在位置に係る位置情報が取得される（Ｓ２０５）。当該撮影時刻と撮影時の位置情報は、画像処理部１２により、生成された高精細画像と低精細画像に関連付けられて、画像記憶部１Ａに記憶される（Ｓ２０６）。
【００５７】
撮影間隔に応じて撮影が行われるのと並行して、撮影間隔よりも長い送信間隔において、低精細画像が防犯管理装置２に送信される（Ｓ２０７、Ｓ２０８）。
即ち、本実施形態では、送信間隔は６秒毎となっており、２秒毎の撮影によって生成された低精細画像のうち、６秒間隔に合致する低精細画像が選択的に防犯管理装置２に送信される。例えば、１８時１０分００秒から２０秒間、撮影が行われた場合、２秒間隔に該当する１８時１０分００秒、１８時１０分２秒、１８時１０分４秒、１８時１０分６秒、１８時１０分８秒、１８時１０分１０秒、１８時１０分１２秒、１８時１０分１４秒、１８時１０分１６秒、１８時１０分１８秒、１８時１０分２０秒において撮影が実行される。そして、各撮影によって生成された低精細画像のうち、６秒間隔に該当する１８時１０分００秒、１８時１０分６秒、１８時１０分１２秒、１８時１０分１８秒において生成された低精細画像が防犯管理装置２に対して送信される。
【００５８】
携帯型防犯端末１から低精細画像を受信した防犯管理装置２は、被監視者の被監視者ＩＤに関連付けて、当該低精細画像を画像記憶部２Ｂに記憶する（Ｓ２０９）。
以上の撮影処理は、撮影処理部１１が命令処理部１７から撮影の実行停止命令を受け付けるまで行われる。これにより、所定の撮影間隔で生成された高精細画像と低精細画像が携帯型防犯端末１に記憶されると共に、所定の送信間隔で携帯型防犯端末１から合板管理装置２に対して送信された低精細画像が防犯管理装置２に記憶される。
【００５９】
続いて、図１１を参照して、録音処理部１５による録音処理の詳細について説明する。
命令処理部１７から録音処理の実行命令を受けた録音処理部１５は、外部音声を録音した音声データの生成を開始する（Ｓ３０１）。この際、計時部１３によって録音開始時刻を計時しておく（Ｓ３０２）。
【００６０】
録音は、検出処理部１６によって所定の停止条件が検出され、これに基づいて命令処理部１７から録音の停止命令が出されるまで実行される（Ｓ１０６）。
録音処理部１５が、命令処理部１７からの停止命令に基づいて録音を終了すると、計時部１３によって録音終了時刻が計時された上（Ｓ３０３）、音声データが録音開始時刻と録音終了時刻に関連付けられて音声記憶部１Ｂに記憶される（Ｓ３０４）。
【００６１】
生成された音声データは、携帯型防犯端末１から防犯管理装置２に対して送信され（Ｓ３０５）、これを受信した防犯管理装置２は、当該音声データを音声記憶部２Ｃに記憶する（Ｓ３０６）。
以上の処理により、録音データが防犯管理装置２に蓄積される。
【００６２】
続いて、監視者端末３からの閲覧要求に応じて、携帯型防犯端末１において生成された画像を当該監視者端末３に対して閲覧可能に提供する処理の流れについて、図１２を参照して説明する。
まず、監視者は、ＩＤやパスワード等による認証処理を経て、所定の画像閲覧用のウェブサイト等から防犯管理装置２に対して、被監視者が所持する携帯型防犯端末１によって撮影された画像の閲覧要求を送信する（Ｓ４０１）。
【００６３】
これに応じて防犯管理装置２は抽出処理部２１により、画像記憶部２Ｂを参照して、被監視者が所持する携帯型防犯端末１から受信していた低精細画像を抽出する（Ｓ４０２）。抽出された低精細画像は、一覧的に閲覧可能に監視者端末３に対して送信される（Ｓ４０３）。
【００６４】
ここで、監視者端末３上において表示された低精細画像一覧の例を図１３に示す。
図１３に示された閲覧画面では、一覧表示欄１０１において、画像記憶部２Ｂから抽出された低精細画像が時系列に沿って一覧的に表示されている。一覧表示された低精細画像は、防犯管理装置２が本例の送信間隔である６秒毎に携帯型防犯端末１から受信したものである。
【００６５】
各低精細画像は指定可能になっており、一の低精細画像を指定すると、個別表示欄１０２において、当該指定された低精細画像が大きく表示されるようになっている。
また、各低精細画像には「詳細要求」ボタン１０３が設けられており、所定の低精細画像について「詳細要求」ボタン１０３を押下すると、当該所定の低精細画像の高精細画像と、当該所定の低精細画像の撮影時刻前の所定時間分の高精細画像の取得要求が防犯管理装置２に対して送信されるようになっている。
【００６６】
なお、この閲覧画面には、携帯型防犯端末１の現在位置情報を表示する位置情報表示欄１０４が設けられている。この位置情報表示欄１０４中の現在位置情報は、防犯管理装置２が監視者端末３から低精細画像の閲覧要求を受け付けた際に、携帯型防犯端末１に対して問い合わせを行って取得したものである。
【００６７】
また、各低精細画像には、「音声」ボタンが設けられており、監視者が当該「音声」ボタンを押下すると、音声記憶部２Ｃから音声データが抽出され、当該低精細画像の撮影時刻の箇所から音声データの再生が始まるようになっている。
【００６８】
このような画面構成例からなる閲覧画面において、監視者が所定の低精細画像について「詳細要求」ボタン１０３を押下すると、監視者端末３から防犯管理装置２に対して、当該所定の低精細画像の高精細画像と、当該所定の低精細画像の撮影時刻前の所定時間分の高精細画像の取得要求が送信される（Ｓ４０４）。
【００６９】
これに応じて防犯管理装置２は、監視者によって指定された低精細画像の画像ＩＤと共に、当該低精細画像の高精細画像と、当該低精細画像の撮影時刻前の所定時間分の高精細画像の取得要求を携帯型防犯端末１に対して送信する（Ｓ４０５）。
【００７０】
高精細画像の取得要求を受信した携帯型防犯端末１は、抽出処理部２１により、指定された低精細画像の高精細画像と、当該低精細画像の撮影時刻前の所定時間分の高精細画像を画像記憶部２Ｂから抽出し（Ｓ４０６）、抽出した高精細画像を防犯管理装置２に対して送信する（Ｓ４０７）。
【００７１】
携帯型防犯端末１から高精細画像を受信した防犯管理装置２は、当該高精細画像を画像記憶部２Ｂに記憶すると共に（Ｓ４０８）、監視者端末３に対し、当該高精細画像を閲覧可能に送信する（Ｓ４０９）。
【００７２】
ここで、監視者端末３上において表示された高精細画像の閲覧ページの例を図１４に示す。
図１４に示された閲覧画面では、監視者から指定された当該低精細画像の高精細画像と、当該低精細画像の撮影時刻前の１０秒間分の高精細画像が表示されている。
これにより、送信間隔である６秒ごとよりも短い撮影間隔である２秒ごとの高精細画像を閲覧することができ、これによって被監視者の詳細な状況を把握することができる。
【００７３】
以上の本実施形態に係る携帯型防犯端末１及び防犯管理装置２によれば、被監視者緊急事態の発生如何にかかわらず、歩行あるいは移動している時に、防犯上、有用な現場の風景が自動的に撮影される。その結果、緊急事態発生の可能性が高まった際、あるいは緊急事態が発生した際には、現場を撮影して得られた画像により、危険を回避したり、事件を解決したりすることができる。
また、携帯型防犯端末１は、撮影間隔よりも長い一定の送信間隔において低精細画像を供給しつつ、必要に応じて高精細画像を供給するため、処理負担を大きく軽減し、バッテリー切れを防ぐことができる。
【００７４】
なお、以上の本実施形態において、携帯型防犯端末１は所定のトリガーを実行条件として撮影及び録音を開始するものとしたが、撮影が開始され、撮影によって得られた画像が防犯管理装置２に対して送信され始めた際、防犯管理装置２が監視者端末３に対してその旨の通知を送信するものとしてもよい。
これにより、監視者は、被監視者の状況が注意すべきものになったことを知ることができる。
【００７５】
また、以上の本実施形態では、監視者端末３からの閲覧要求に応じて、所定の撮影時刻前の高精細画像を当該監視者端末３に閲覧可能に提供したが、これにかかわらず、所定の撮影時刻後の高精細画像を監視者端末３に閲覧可能に提供することもできる。
また、該当する実行条件の違いに応じて、高精細画像を携帯型防犯端末１から防犯管理装置２に送信させる高精細画像を変えてもよい。即ち、監視者が歩行等の移動を開始し始めたという実行条件が満たされた場合には、監視者から閲覧要求に応じた高精細画像を携帯型防犯端末１から取得する一方、携帯型防犯端末１が衝撃を受けたという実行条件が満たされた場合には、その実行条件が満たされた時の前後の一定時間分の高精細画像を自動的に取得するようにしてもよい。
【００７６】
次に、図１５を参照して、本発明の別の実施形態に係る防犯管理装置４について説明する。
本実施形態に係る防犯管理装置４は、携帯型防犯端末１の現在位置情報に基づき、被監視者が、予め設定されている被監視者の行動許可エリア内にいるかどうか、及び立ち入り禁止エリア内にいないかどうかを判別し、行動許可エリア外に出たときや立ち入り禁止エリア内に立ち入ったときには、その旨を監視者に通知する。なお、行動許可エリアとは、監視者が予め設定した地図上の一定のエリアのことであって、被監視者が当該エリア内にいる限りは安全であると監視者がみなしたエリアである。また、立ち入り禁止エリアとは、監視者が予め設定した地図上の一定のエリアのことであって、被監視者が立ち入ることを禁止されたエリアである。
【００７７】
具体的に、防犯管理装置４は、上述の防犯管理装置２が備えた機能に加え、判別処理部２３、地図情報記憶部２Ｄ、及び設定情報記憶部２Ｅを備えている。
判別処理部２３は、被監視者が行動許可エリア内にいるか否か、及び被監視者が立ち入り禁止エリアに立ち入っていないかを判別する処理部である。この判別処理部２３は、携帯型防犯端末１から取得した携帯型防犯端末１の現在位置情報と、設定情報記憶部２Ｅに記憶されている被監視者ごとの行動許可エリアと立ち入り禁止エリアの情報に基づき、被監視者が行動許可エリア内にいるか否か、及び被監視者が立ち入り禁止エリアに立ち入っていないかを判別する。
その結果、被監視者が行動許可エリア外や立ち入り禁止エリア内にいると判別したときは、監視者端末３に対してその旨を通知する。
【００７８】
地図情報記憶部２Ｄには、地図情報が記憶されている。判別処理部２３は、当該地図情報を参照することにより、携帯型防犯端末１から取得した現在位置情報と、行動許可エリア及び立ち入り禁止エリアに係る情報に基づいて、被監視者が行動許可エリア内にいるか否か、及び被監視者が立ち入り禁止エリアに立ち入っていないかを判別することができる。
【００７９】
設定情報記憶部２Ｅは、被監視者ごとの行動許可エリアと立ち入り禁止エリアに係る情報を記憶した記憶部である。
行動許可エリアと立ち入り禁止エリアは、監視者によって予め設定される。行動許可エリアと立ち入り禁止エリアの設定は例えば、図１６に示されるように、監視者端末３上に地図を展開した上、行動許可エリアと立ち入り禁止エリアごとに、監視者に対して、ポインティングデバイス等を用いて閉じられたエリアを指定させる。当該指定されたエリアが行動許可エリア１１１あるいは立ち入り禁止エリア１１２とみなされ、設定情報記憶部２Ｅに記憶される。
なお、行動許可エリア１１１と立ち入り禁止エリア１１２の地図上における設定は、所定の図形からなる形状ではなく、複数の任意の頂点を結んだ多角形の形状等など、各種の態様によることができる。
【００８０】
なお、本例における携帯型防犯端末１は、位置情報取得部１４によって現在位置情報を常時、あるいは継続的に取得し、当該現在地情報を防犯管理装置４に対して供給する。
【００８１】
続いて、本実施形態に係る防犯管理装置４による処理の流れについて、図１７を参照して説明する。
まず、携帯型防犯端末１から防犯管理装置４に対して、位置情報取得部１４によって取得された携帯型防犯端末１の現在位置情報が常時、あるいは継続的に送信される（Ｓ５０１）。
【００８２】
これに対して防犯管理装置４は判別処理部２３により、地図情報記憶部２Ｄに記憶されている地図情報を参照すると共に、携帯型防犯端末１の現在位置情報と、設定情報記憶部２Ｅに記憶されている被監視の行動許可エリアと立ち入り禁止エリアの情報に基づき、被監視者が行動許可エリア内及び立ち入り禁止エリア外にいるか否かを判別する（Ｓ５０２）。
その結果、被監視者が行動許可エリア外にいる、あるいは立ち入り禁止エリア内にいるものと判別したときには、監視者端末３に対してアラートを送信する（Ｓ５０３）。なお、アラートはメールやメッセージ、ポップアップ通知など、各種の方法によることができる。
【００８３】
ここで、被監視者が行動許可エリア外に出たと判別されたときに、監視者が監視者端末３上で当該状況を確認するための画面の一例を図１８に示す。
この例では、地図上に、被監視者の行動許可エリア１１１、立ち入り禁止エリア１１２、及び被監視者の現在位置１１３が表示されている。地図上に行動許可エリア１１１、立ち入り禁止エリア１１２、及び現在位置１１３が合わせて表示されることから、監視者は状況を的確に把握することができる。
なお、被監視者が立ち入り禁止エリア１１２内に立ち入った場合も同様に表示される。
【００８４】
なお、本例では、判別処理部２３、地図情報記憶部２Ｄ、及び設定情報記憶部２Ｅの機能部は、防犯管理装置４に備えさせたが、携帯型防犯端末１に備えさせることもできる。その場合、携帯型防犯端末１において、被監視者が行動許可エリアや立ち入り禁止エリアの内側又は外側のいずれにいるかが判別され、その結果に基づいたアラートが防犯仮装置４を介して、あるいは直接、監視者端末３に対して送信される。
【００８５】
また、本例において、被監視者が行動許可エリアの外側あるいは立ち入り禁止エリアの内側にいるものと判別された場合に、これを上述した携帯型防犯端末１における撮影及び録音の実行条件としてもよい。即ち、防犯管理装置４により、被監視者が行動許可エリアの外側又は立ち入り禁止エリアの内側にいると判別されたときに、防犯管理装置４から携帯型防犯端末１に対して撮影及び録音の開始要求が送信され、携帯型防犯端末１がこれに基づいて撮影及び録音を開始する。なお、携帯型防犯端末１に上記した判別処理部２３、地図情報記憶部２Ｄ、及び設定情報記憶部２Ｅの機能部を備えさせる例においても、携帯型防犯端末１において被監視者が行動許可エリアの外側又は立ち入り禁止エリアの内側にいると判別されたときに、撮影及び録音を開始することができる。
【００８６】
次に、図１９を参照して、本発明のさらに別の実施形態に係る携帯型防犯端末５及び防犯管理装置６について説明する。
本実施形態では、防犯管理装置６からの要求に応じて、携帯型防犯端末５から自動的に音声通話の発信が行われる。
【００８７】
具体的に、携帯型防犯端末５は、上述の携帯型防犯端末１が備えた機能に加え、発信処理部１９を備えている。
発信処理部１９は、防犯管理装置６から音声通話の発信要求を受け付けた時に、防犯管理装置６から指定された通話先、あるいは予め設定されている通話先に対して自動的に音声通話の発信を行う。
【００８８】
また、防犯管理装置６は、上述の防犯管理装置１が備えた機能に加え、自動発信処理部２４を備えている。
自動発信処理部２４は、監視者から、携帯型防犯端末１からの自動発信要求を受け付けたときに、携帯型防犯端末５に対して音声通話の自動発信要求を送信する。
なお、音声通話の発信先は、監視者から自動発信要求を受け付ける際、監視者が指定するものであってもよいし、予め設定情報として登録されていてもよい。
【００８９】
続いて、本実施形態に係る携帯型防犯端末５及び防犯管理装置６による処理の流れについて、図２０を参照して説明する。
まず、監視者端末３から防犯管理装置６に対して、携帯型防犯端末５からの音声通話による自動発信の要求が送信される（Ｓ６０１）。
【００９０】
これに対して防犯管理装置６は自動発信処理部２４により、携帯型防犯端末５に対して音声通話の自動発信要求を送信する（Ｓ６０２）。
これに応じて形態型防犯端末５は、発信処理部２９により、所定の通話先に対して自動的に音声通話の発信を行う（Ｓ６０３）。なお、音声通話の発信先は、監視者による自動発信要求の際に指定されるものであってもよいし、防犯管理装置６あるいは携帯型防犯端末５において予め設定されているものであってもよい。
【００９１】
これにより、監視者の状況の確認が必要となった際に、監視者側からのアクションにより、携帯型防犯端末５側から自動的に音声通話が発信される。その結果、例えば、監視者が誰かに連れ去られた場合等、監視者が携帯型防犯端末５を操作できない場合でも、音声通話を発信させて現場の音声を聞き取るといったことができる。
【符号の説明】
【００９２】
１      携帯型防犯端末
１１    撮影処理部
１２    画像処理部
１３    計時部
１４    位置情報取得部
１５    録音処理部
１６    検出処理部
１７    命令処理部
１８    通信処理部
１Ａ    画像記憶部
１Ｂ    音声記憶部
２      防犯管理装置
２１    抽出処理部
２２    通信処理部
２Ａ    ユーザ情報記憶部
２Ｂ    画像記憶部
２Ｃ    音声記憶部
３      監視者端末
３１    入出力処理部
３２    通信処理部
４      防犯管理装置
５      携帯型防犯端末
６      防犯管理装置
ＮＷ    ネットワーク
【図１】
2017188861.tif 000003
【図２】
2017188861.tif 000004
【図３】
2017188861.tif 000005
【図４】
2017188861.tif 000006
【図５】
2017188861.tif 000007
【図６】
2017188861.tif 000008
【図７】
2017188861.tif 000009
【図８】
2017188861.tif 000010
【図９】
2017188861.tif 000011
【図１０】
2017188861.tif 000012
【図１１】
2017188861.tif 000013
【図１２】
2017188861.tif 000014
【図１３】
2017188861.tif 000015
【図１４】
2017188861.tif 000016
【図１５】
2017188861.tif 000017
【図１６】
2017188861.tif 000018
【図１７】
2017188861.tif 000019
【図１８】
2017188861.tif 000020
【図１９】
2017188861.tif 000021
【図２０】
2017188861.tif 000022
【手続補正書】
【提出日】平成28年11月22日(2016.11.22)
【手続補正１】
【補正対象書類名】特許請求の範囲
【補正対象項目名】請求項４
【補正方法】変更
【補正の内容】
【請求項４】
被監視者が携行する携帯型防犯端末から画像を取得すると共に、監視者に対して当該画像を閲覧可能に提供する防犯管理装置であって、
上記被監視者が携行すると共に、一定の撮影間隔で現場の撮影を行い、当該撮影によって生成された画像を供給する携帯型防犯端末、及び監視者が利用する監視者端末と、ネットワークを介して通信可能に構成され、
上記携帯型防犯端末から、上記撮影間隔よりも長い一定の送信間隔で、当該送信間隔ごとに生成された低精細画像を受信する低精細画像受信手段と、
上記低精細画像を記憶する画像記憶手段と、
上記監視者端末から、上記画像記憶手段に記憶されている所定の低精細画像と関連付けられた高精細画像、及び当該所定の低精細画像の撮影時刻前の所定時間分の高精細画像の閲覧要求を受信する閲覧要求受信手段と、
上記携帯型防犯端末に対し、上記所定の低精細画像に関連付けられた高精細画像と、当該所定の低精細画像の撮影時刻前の所定時間分の全高精細画像の取得要求を送信する画像取得要求送信手段と、
上記携帯型防犯端末から、上記所定の低精細画像に関連付けられた高精細画像と、当該所定の低精細画像の撮影時刻前の所定時間分の全高精細画像を受信する高精細画像受信手段と、
上記監視者端末に対し、上記所定の低精細画像に関連付けられた高精細画像と、当該所定の低精細画像の撮影時刻前の所定時間分の全高精細画像を閲覧可能に送信する高精細画像送信手段と、を有する、
ことを特徴とする防犯管理装置。
【手続補正２】
【補正対象書類名】特許請求の範囲
【補正対象項目名】請求項７
【補正方法】変更
【補正の内容】
【請求項７】
被監視者が携行する携帯型防犯端末から画像を取得すると共に、監視者に対して当該画像を閲覧可能に提供する方法であって、
上記被監視者が携行すると共に、一定の撮影間隔で現場の撮影を行い、当該撮影によって生成された画像を供給する携帯型防犯端末、及び監視者が利用する監視者端末と、ネットワークを介して通信可能に構成されたコンピュータにより、
上記携帯型防犯端末から、上記撮影間隔よりも長い一定の送信間隔で、当該送信間隔ごとに生成された低精細画像を受信する処理と、
上記低精細画像を画像記憶手段に記憶する処理と、
上記監視者端末から、上記画像記憶手段に記憶されている所定の低精細画像と関連付けられた高精細画像、及び当該所定の低精細画像の撮影時刻前の所定時間分の高精細画像の閲覧要求を受信する処理と、
上記携帯型防犯端末に対し、上記所定の低精細画像に関連付けられた高精細画像と、当該所定の低精細画像の撮影時刻前の所定時間分の全高精細画像の取得要求を送信する処理と、
上記携帯型防犯端末から、上記所定の低精細画像に関連付けられた高精細画像と、当該所定の低精細画像の撮影時刻前の所定時間分の全高精細画像を受信する処理と、
上記監視者端末に対し、上記所定の低精細画像に関連付けられた高精細画像と、当該所定の低精細画像の撮影時刻前の所定時間分の全高精細画像を閲覧可能に送信する処理と、を実行する、
ことを特徴とする防犯方法。
【手続補正３】
【補正対象書類名】特許請求の範囲
【補正対象項目名】請求項８
【補正方法】変更
【補正の内容】
【請求項８】
被監視者が携行する携帯型防犯端末から画像を取得すると共に、監視者に対して当該画像を閲覧可能に提供するためのコンピュータプログラムであって、
上記被監視者が携行すると共に、一定の撮影間隔で現場の撮影を行い、当該撮影によって生成された画像を供給する携帯型防犯端末、及び監視者が利用する監視者端末と、ネットワークを介して通信可能に構成されたコンピュータに対し、
上記携帯型防犯端末から、上記撮影間隔よりも長い一定の送信間隔で、当該送信間隔ごとに生成された低精細画像を受信する処理と、
上記低精細画像を画像記憶手段に記憶する処理と、
上記監視者端末から、上記画像記憶手段に記憶されている所定の低精細画像と関連付けられた高精細画像、及び当該所定の低精細画像の撮影時刻前の所定時間分の高精細画像の閲覧要求を受信する処理と、
上記携帯型防犯端末に対し、上記所定の低精細画像に関連付けられた高精細画像と、当該所定の低精細画像の撮影時刻前の所定時間分の全高精細画像の取得要求を送信する処理と、
上記携帯型防犯端末から、上記所定の低精細画像に関連付けられた高精細画像と、当該所定の低精細画像の撮影時刻前の所定時間分の全高精細画像を受信する処理と、
上記監視者端末に対し、上記所定の低精細画像に関連付けられた高精細画像と、当該所定の低精細画像の撮影時刻前の所定時間分の全高精細画像を閲覧可能に送信する処理と、を実行させる、
コンピュータプログラム。
【手続補正４】
【補正対象書類名】明細書
【補正対象項目名】００１０
【補正方法】変更
【補正の内容】
【００１０】
また、本発明の別の観点に係る防犯管理装置は、被監視者が携行する携帯型防犯端末から画像を取得すると共に、監視者に対して当該画像を閲覧可能に提供する防犯管理装置であって、上記被監視者が携行すると共に、一定の撮影間隔で現場の撮影を行い、当該撮影によって生成された画像を供給する携帯型防犯端末、及び監視者が利用する監視者端末と、ネットワークを介して通信可能に構成され、上記携帯型防犯端末から、上記撮影間隔よりも長い一定の送信間隔で、当該送信間隔ごとに生成された低精細画像を受信する低精細画像受信手段と、上記低精細画像を記憶する画像記憶手段と、上記監視者端末から、上記画像記憶手段に記憶されている所定の低精細画像と関連付けられた高精細画像、及び当該所定の低精細画像の撮影時刻前の所定時間分の高精細画像の閲覧要求を受信する閲覧要求受信手段と、上記携帯型防犯端末に対し、上記所定の低精細画像に関連付けられた高精細画像と、当該所定の低精細画像の撮影時刻前の所定時間分の全高精細画像の取得要求を送信する画像取得要求送信手段と、上記携帯型防犯端末から、上記所定の低精細画像に関連付けられた高精細画像と、当該所定の低精細画像の撮影時刻前の所定時間分の全高精細画像を受信する高精細画像受信手段と、上記監視者端末に対し、上記所定の低精細画像に関連付けられた高精細画像と、当該所定の低精細画像の撮影時刻前の所定時間分の全高精細画像を閲覧可能に送信する高精細画像送信手段と、を有することを特徴とする。
【手続補正５】
【補正対象書類名】明細書
【補正対象項目名】００１３
【補正方法】変更
【補正の内容】
【００１３】
また、本発明の別の観点に係る防犯方法は、被監視者が携行する携帯型防犯端末から画像を取得すると共に、監視者に対して当該画像を閲覧可能に提供する方法であって、上記被監視者が携行すると共に、一定の撮影間隔で現場の撮影を行い、当該撮影によって生成された画像を供給する携帯型防犯端末、及び監視者が利用する監視者端末と、ネットワークを介して通信可能に構成されたコンピュータにより、上記携帯型防犯端末から、上記撮影間隔よりも長い一定の送信間隔で、当該送信間隔ごとに生成された低精細画像を受信する処理と、上記低精細画像を画像記憶手段に記憶する処理と、上記監視者端末から、上記画像記憶手段に記憶されている所定の低精細画像と関連付けられた高精細画像、及び当該所定の低精細画像の撮影時刻前の所定時間分の高精細画像の閲覧要求を受信する処理と、上記携帯型防犯端末に対し、上記所定の低精細画像に関連付けられた高精細画像と、当該所定の低精細画像の撮影時刻前の所定時間分の全高精細画像の取得要求を送信する処理と、上記携帯型防犯端末から、上記所定の低精細画像に関連付けられた高精細画像と、当該所定の低精細画像の撮影時刻前の所定時間分の全高精細画像を受信する処理と、上記監視者端末に対し、上記所定の低精細画像に関連付けられた高精細画像と、当該所定の低精細画像の撮影時刻前の所定時間分の全高精細画像を閲覧可能に送信する処理と、を実行することを特徴とする。
【手続補正６】
【補正対象書類名】明細書
【補正対象項目名】００１４
【補正方法】変更
【補正の内容】
【００１４】
また、本発明の別の観点に係るコンピュータプログラムは、被監視者が携行する携帯型防犯端末から画像を取得すると共に、監視者に対して当該画像を閲覧可能に提供するためのコンピュータプログラムであって、上記被監視者が携行すると共に、一定の撮影間隔で現場の撮影を行い、当該撮影によって生成された画像を供給する携帯型防犯端末、及び監視者が利用する監視者端末と、ネットワークを介して通信可能に構成されたコンピュータに対し、上記携帯型防犯端末から、上記撮影間隔よりも長い一定の送信間隔で、当該送信間隔ごとに生成された低精細画像を受信する処理と、上記低精細画像を画像記憶手段に記憶する処理と、上記監視者端末から、上記画像記憶手段に記憶されている所定の低精細画像と関連付けられた高精細画像、及び当該所定の低精細画像の撮影時刻前の所定時間分の高精細画像の閲覧要求を受信する処理と、上記携帯型防犯端末に対し、上記所定の低精細画像に関連付けられた高精細画像と、当該所定の低精細画像の撮影時刻前の所定時間分の全高精細画像の取得要求を送信する処理と、上記携帯型防犯端末から、上記所定の低精細画像に関連付けられた高精細画像と、当該所定の低精細画像の撮影時刻前の所定時間分の全高精細画像を受信する処理と、上記監視者端末に対し、上記所定の低精細画像に関連付けられた高精細画像と、当該所定の低精細画像の撮影時刻前の所定時間分の全高精細画像を閲覧可能に送信する処理と、を実行させる。
【手続補正７】
【補正対象書類名】明細書
【補正対象項目名】００４４
【補正方法】変更
【補正の内容】
【００４４】
一方、防犯管理装置２は、監視者端末３から所定の低精細画像の指定に係る情報と共に、当該所定の低精細画像の高精細画像と、当該所定の低精細画像の撮影時刻前及び／又は撮影時刻後の所定時間分の全ての高精細画像の閲覧要求を受け付けると、該当する高精細画像を携帯型防犯端末１から取得し、当該取得した高精細画像を画像記憶部２Ｂに記憶した上で、監視者端末３に対して閲覧可能に提供する。